【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
通信システムにおける送信機が副同期チャネルを送信するための方法であって、
送信されるシーケンスのマッピングに使用するための副搬送波を含む副搬送波集合を下記数式１を利用して決定する過程と、
前記シーケンスを送信する過程とを含むことを特徴とする方法。
【数１】
2012514891.tif 000001
式中、ＳＳＣＨＣａｒｒｉｅｒＳｅｔｎは、ｎ番目の副搬送波集合を表し、ｎは、セグメントＩＤに対応する副搬送波集合のインデックスであって、０、１又は２の値を有する。ｋは、各ＦＦＴのサイズに応じて０からＮＳＳＣＨ−１までの値を有するランニングインデックス（ｒｕｎｎｉｎｇ  ｉｎｄｅｘ）である。式中、ＮＳＳＣＨは、副同期チャネルのために割り当てられた副搬送波の数であって、５１２−ＦＦＴサイズにおいて１４４、１０２４−ＦＦＴサイズにおいて２８８、２０４８−ＦＦＴサイズにおいて５７６の値をそれぞれ有する。
【請求項２】
セルＩＤ（ＩＤ  ｃｅｌｌ）に応じて前記シーケンスを発生する過程と、
前記シーケンスを前記決定された副搬送波集合の副搬送波にマッピングする過程とをさらに含む請求項１に記載の方法。
【請求項３】
前記発生されたマッピングのためのシーケンスを変調する過程をさらに含むことを特徴とする請求項２に記載の方法。
【請求項４】
前記副搬送波マッピングされたたシーケンスをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調して、副同期チャネルシンボルを発生する過程と、
受信機に、前記発生された副同期チャネルシンボルを送信する過程とをさらに含むことを特徴とする請求項２に記載の方法。
【請求項５】
前記副搬送波集合に含まれる副搬送波のうち、ＤＣ副搬送波を間に置いている二つの副搬送波は、４個のインデックス間隔を有し、残りの副搬送波は、各々隣接した副搬送波と３個のインデックス間隔を有することを特徴とする請求項１に記載の方法。
【請求項６】
通信システムにおける副同期チャネルを送信するための送信機であって、
副搬送波を含む副搬送波集合を決定し、シーケンスを下記数式２を利用して前記決定された副搬送波集合の副搬送波にマッピングする副搬送波マッパーと、
前記シーケンスを送信する送信ブロックとを備えることを特徴とする送信機。
【数２】
2012514891.tif 000002
式中、ＳＳＣＨＣａｒｒｉｅｒＳｅｔｎは、ｎ番目の副搬送波集合を表し、ｎは、セグメントＩＤに対応する副搬送波集合のインデックスであって、０、１又は２の値を有する。ｋは、各ＦＦＴのサイズに応じて０からＮＳＳＣＨ−１までの値を有するランニングインデックス（ｒｕｎｎｉｎｇ  ｉｎｄｅｘ）である。式中、ＮＳＳＣＨは、副同期チャネルのために割り当てられた副搬送波の数であって、５１２−ＦＦＴサイズにおいて１４４、１０２４−ＦＦＴサイズにおいて２８８、２０４８−ＦＦＴサイズにおいて５７６の値をそれぞれ有する。
【請求項７】
セルＩＤ（ＩＤ  ｃｅｌｌ）に応じてシーケンスを発生するシーケンス発生器をさらに含む請求項６に記載の送信機。
【請求項８】
前記発生されたマッピングのためのシーケンスを変調する変調器をさらに備えることを特徴とする請求項６に記載の送信機。
【請求項９】
前記副搬送波マッピングされたシーケンスをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調して、副同期チャネルシンボルを発生するＯＦＤＭ変調器と、
受信機に、前記発生された副同期チャネルシンボルを送信するＲＦ送信機とをさらに備えることを特徴とする請求項６に記載の送信機。
【請求項１０】
前記副搬送波集合に含まれる副搬送波のうち、ＤＣ副搬送波を間に置いている二つの副搬送波は、４個のインデックス間隔を有し、残りの副搬送波は、各々隣接した副搬送波と３個のインデックス間隔を有することを特徴とする請求項６に記載の送信機。
【請求項１１】
通信システムにおける受信機が副同期チャネルを受信するための方法において、
受信された信号からセグメントＩＤ（ｓｅｇｍｅｎｔ  ＩＤｅｎｔｉｆｉｃａｔｉｏｎ）に対応する副搬送波集合の信号を抽出する過程と、
前記副搬送波集合の前記抽出された信号を復調し、セルＩＤに依存するシーケンスを検出する過程とを含み、
前記副搬送波集合は、下記数式３を利用して決定されることを特徴とする方法。
【数３】
2012514891.tif 000003
式中、ＳＳＣＨＣａｒｒｉｅｒＳｅｔｎは、ｎ番目の副搬送波集合を表し、ｎは、セグメントＩＤに対応する副搬送波集合のインデックスであって、０、１又は２の値を有する。ｋは、各ＦＦＴのサイズに応じて０からＮＳＳＣＨ−１までの値を有するランニングインデックス（ｒｕｎｎｉｎｇ  ｉｎｄｅｘ）である。式中、ＮＳＳＣＨは、副同期チャネルのために割り当てられた副搬送波の数であって、５１２−ＦＦＴサイズにおいて１４４、１０２４−ＦＦＴサイズにおいて２８８、２０４８−ＦＦＴサイズにおいて５７６の値をそれぞれ有する。
【請求項１２】
フレーム内の副同期チャネル（Ｓ−ＳＣＨ）のドメインで前記信号を受信する過程と、
前記受信された信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調する過程と、
セグメント単位に受信電力を測定し、前記セグメントＩＤを獲得する過程とをさらに含む請求項１１に記載の方法。
【請求項１３】
前記副搬送波集合に含まれる副搬送波のうち、ＤＣ副搬送波の介在している２つの副搬送波は４つのインデックス間隔を有し、残りの副搬送波は、各々隣接した副搬送波と３つのインデックス間隔を有することを特徴とする請求項１１に記載の方法。
【請求項１４】
前記復調によって検出された前記シーケンスとメモリテーブルの全てのシーケンスとの間の相関値を決定する過程と、
最大の相関値を有するシーケンスに対応するランニングインデックス（ｉｄｘ）を決定する過程とさらに含む請求項１１に記載の方法。
【請求項１５】
獲得された前記セグメントＩＤ及びランニングインデックス（ｉｄｘ）を利用してセルＩＤを決定する過程をさらに含む請求項１４に記載の方法。
【請求項１６】
通信システムにおける副同期チャネルを受信するための受信機において、
受信された信号からセグメントＩＤ（ｓｅｇｍｅｎｔ  ＩＤｅｎｔｉｆｉｃａｔｉｏｎ）に対応する副搬送波集合の信号を抽出する副搬送波抽出機と、
前記副搬送波集合の前記抽出された信号を復調し、セルＩＤに依存するシーケンスを検出する復調機とを含み、
前記副搬送波集合は、下記数式４を利用して決定されることを特徴とする受信機。
【数４】
2012514891.tif 000004
式中、ＳＳＣＨＣａｒｒｉｅｒＳｅｔｎは、ｎ番目の副搬送波集合を表し、ｎは、セグメントＩＤに対応する副搬送波集合のインデックスであって、０、１又は２の値を有する。ｋは、各ＦＦＴのサイズに応じて０からＮＳＳＣＨ−１までの値を有するランニングインデックス（ｒｕｎｎｉｎｇ  ｉｎｄｅｘ）である。式中、ＮＳＳＣＨは、副同期チャネルのために割り当てられた副搬送波の数であって、５１２−ＦＦＴサイズにおいて１４４、１０２４−ＦＦＴサイズにおいて２８８、２０４８−ＦＦＴサイズにおいて５７６の値をそれぞれ有する。
【請求項１７】
フレーム内の副同期チャネル（Ｓ−ＳＣＨ）のドメインで前記信号を受信する無線周波数（ＲＦ）受信機と、
前記受信された信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調するＯＦＤＭ復調機とをさらに含み、
前記副搬送波抽出機はセグメント単位に受信電力を測定し、前記セグメントＩＤを獲得する請求項１６に記載の受信機。
【請求項１８】
前記副搬送波集合に含まれる副搬送波のうち、ＤＣ副搬送波を介在している２つの副搬送波は４つのインデックス間隔を有し、残りの副搬送波は、各々隣接した副搬送波と３つのインデックス間隔を有することを特徴とする請求項１６に記載の受信機。
【請求項１９】
前記復調によって検出された前記シーケンスとメモリテーブルの全てのシーケンスとの間の相関値を決定し、最大の相関値を有するシーケンスに対応するランニングインデックス（ｉｄｘ）を決定するシーケンス復調機をさらに含む請求項１６に記載の受信機。
【請求項２０】
前記シーケンス復調機は、獲得された前記セグメントＩＤ及びランニングインデックス（ｉｄｘ）を利用してセルＩＤを決定する請求項１９に記載の受信機。